(57)【要約】【課題】最小限のビス止め箇所で、スピーカを筐体に固定することができる表示装置及びテレビジョン受信機を提供する。【解決手段】フロントキャビネットにスピーカを取り付ける場合、スピーカに設けられた２つの固定部材の固定部に嵌着されたゴムブッシュの貫通孔に、フロントキャビネットから突出されたボスを嵌め込む。次に、バックキャビネットを背面側から重ね、バックキャビネットに設けられた貫通孔に通したビスを、ボスのネジ穴に締め付ける。これにより、フロントキャビネット及びバックキャビネットが固定される。２つの固定部材のそれぞれの固定部は、フロントキャビネット及びバックキャビネットに平行で発音部の重心を含む平面に近い位置に配置される。【選択図】図７
2014154922.tif 000002
【特許請求の範囲】
【請求項１】
表示パネルを一面に有する筐体の内部にスピーカが取り付けてある表示装置において、
前記スピーカは、
音を発生させる発音部と、
該発音部に一端を取り付けられ、該発音部が発生させた音を軸方向に導く導音筒と、
該導音筒の外面から反対方向外向きにそれぞれ突設され、前記スピーカを前記筐体に固定する２つの固定部材とを有し、
該２つの固定部材はそれぞれ、
前記導音筒の前記外面に連なる基部と、
該基部よりも前記導音筒の前記一端側に設けられ、前記筐体に固定される固定部と、
該固定部及び前記基部を連結する連結部と
を有することを特徴とする表示装置。
【請求項２】
前記固定部は、前記基部よりも、前記導音筒の軸方向に直交して前記発音部の重心を含む平面に近い位置に設けてあることを特徴とする請求項１に記載の表示装置。
【請求項３】
前記導音筒の内側には、前記発音部に一端を連結された導線が配置してあり、
前記導音筒は、前記導線の他端を前記導音筒の外側に導く貫通孔を有し、
該貫通孔は、前記導音筒による導音方向とは反対方向に前記導線を導くように設けてあることを特徴とする請求項１又は２に記載の表示装置。
【請求項４】
前記固定部は、緩衝部材を介して前記筐体に固定されるようにしてあることを特徴とする請求項１から３までのいずれかひとつに記載の表示装置。
【請求項５】
請求項１から４までのいずれかひとつに記載の表示装置と、
テレビジョン放送を受信する受信部とを備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、筐体内部にスピーカが取り付けられている表示装置及びテレビジョン受信機に関する。
【背景技術】
【０００２】
近年、液晶表示装置の薄型化に伴って液晶表示装置を備えるテレビジョン受信機の薄型化が進んでいる。テレビジョン受信機の筐体内部にはスピーカが取り付けてあり、テレビジョン受信機（筐体）の薄型化に伴ってスピーカの取付空間が制限され、スピーカの取付構造が限定されつつある。
【０００３】
スピーカは筐体に対してビス止めされており、少ない数のビスで固定する場合、確実に所定位置に固定できないことがある。スピーカは、スピーカの振動が筐体に直接的に伝導しないように、ゴムブッシュを介して筐体に取り付けられている場合がある。しかし、スピーカの重さでゴムブッシュが変形してスピーカがずれ、スピーカが筐体と接触した場合、スピーカの振動が筐体に直接伝導し、所謂ビビリ音が発生する。また、スピーカが筐体に接触しない場合であっても、スピーカの発生音の一部が筐体内部に漏れて音質の低下を招くことがある。
【０００４】
ビビリ音を抑制する方法として、例えば、筐体の内面において、スピーカが接触するおそれがある箇所に緩衝材を貼付しておき、スピーカが筐体に接触した場合に緩衝材を介して接触させる方法がある。しかし、緩衝材を介した場合であっても、スピーカが筐体と接触した場合、スピーカと共に筐体全体が振動源となってビビリ音が発生する可能性があり、良好にビビリ音を抑制することは難しい。
また、スピーカのビス止め箇所を増やして、スピーカが筐体に接触しないように取り付ける方法があるが、筐体の薄型化と共に、筐体を構成するフロントキャビネットの狭額縁化も進んでおり、ビス止め箇所を増やすことは難しい。また、コスト削減の目的から、ビスの使用数の削減も求められており、ビス止め箇所を増やす方法は現実的ではない。
【０００５】
ビスを用いずにスピーカを取り付ける方法として、特許文献１では、自動車等の車両のドアパネルにスピーカを取り付ける構造が提案されている。特許文献１に開示された構造では、車両のドアパネルに設けられた取付け穴にスピーカが引っ掛けられて固定される。
【先行技術文献】
【特許文献】
【０００６】
【特許文献１】特開２００８−８５６６４号公報
【発明の概要】
【発明が解決しようとする課題】
【０００７】
特許文献１に開示された構造では、車両のドアパネルにスピーカを簡単に取り付けることができる。しかしながら、特許文献１に開示された構造では、スピーカの振動が伝播することによるビビリ音を抑制することは考慮されていない。よって、スピーカの取付空間に制限があるようなテレビジョン受信機において、簡易な取付操作にて、筐体内部の狭い空間にスピーカを確実に取り付けられる構造が要望されている。
【０００８】
本発明は斯かる事情に鑑みてなされたものである。その目的とするところは、最小限のビス止め箇所でスピーカを所定位置に固定することが可能な表示装置及びテレビジョン受信機を提供することにある。
【課題を解決するための手段】
【０００９】
本発明に係る表示装置は、表示パネルを一面に有する筐体の内部にスピーカが取り付けてある表示装置において、前記スピーカは、音を発生させる発音部と、該発音部に一端を取り付けられ、該発音部が発生させた音を軸方向に導く導音筒と、該導音筒の外面から反対方向外向きにそれぞれ突設され、前記スピーカを前記筐体に固定する２つの固定部材とを有し、該２つの固定部材はそれぞれ、前記導音筒の前記外面に連なる基部と、該基部よりも前記導音筒の前記一端側に設けられ、前記筐体に固定される固定部と、該固定部及び前記基部を連結する連結部とを有することを特徴とする。
【００１０】
本発明に係る表示装置は、前記固定部は、前記基部よりも、前記導音筒の軸方向に直交して前記発音部の重心を含む平面に近い位置に設けてあることを特徴とする。
【００１１】
本発明に係る表示装置は、前記導音筒の内側には、前記発音部に一端を連結された導線が配置してあり、前記導音筒は、前記導線の他端を前記導音筒の外側に導く貫通孔を有し、該貫通孔は、前記導音筒による導音方向とは反対方向に前記導線を導くように設けてあることを特徴とする。
【００１２】
本発明に係る表示装置は、前記固定部は、緩衝部材を介して前記筐体に固定されるようにしてあることを特徴とする。
【００１３】
本発明に係るテレビジョン受信機は、上述したいずれかの表示装置と、テレビジョン放送を受信する受信部とを備え、該受信部にて受信したテレビジョン放送に基づいて、前記表示装置に映像を表示するようにしてあることを特徴とする。
【発明の効果】
【００１４】
本発明によれば、ビス止め箇所が少なくても筐体内においてスピーカを強固に固定できる。よって、スピーカが自身の重みで下がり、筐体と接触することを防止できるので、スピーカが筐体と接触することによって生じるビビリ音の発生を抑制できる。また、スピーカが自身の重みで下がった場合にスピーカからの放音の一部が筐体内部に漏れて音質が劣化することがあるが、スピーカを強固に固定できるので、このような音質の低下を抑制できる。
【図面の簡単な説明】
【００１５】
【図１】本実施形態のテレビジョン受信機の斜視図である。
【図２】本実施形態のテレビジョン受信機におけるフロントキャビネット及びスピーカを略示する斜視図である。
【図３】スピーカの斜視図である。
【図４】スピーカの上面図である。
【図５】フロントキャビネットの斜視図である。
【図６】スピーカが取り付けられたフロントキャビネットの一部を示す拡大図である。
【図７】スピーカが取り付けられたフロントキャビネットの一部を示す上面図である。
【００１６】
以下に、本発明をその実施形態を示す図面に基づいて詳述する。
図１は、本実施形態のテレビジョン受信機の斜視図、図２は、本実施形態のテレビジョン受信機におけるフロントキャビネット及びスピーカを略示する斜視図である。本実施形態のテレビジョン受信機１００は、液晶パネル、プラズマパネル又は有機ＥＬ（Electro Luminescence）パネル等の矩形状の表示パネル１０３を有しており、表示パネル１０３は、筐体１０１の一側面の一部をなすように設けられている。筐体１０１内部の適宜箇所には、テレビジョン放送の放送信号を受信するチューナ（受信部）１０４が設けられており、テレビジョン受信機１００は、チューナ１０４にて受信した放送信号に基づいて表示パネル１０３に映像を表示する。図１に示すテレビジョン受信機１００は、表示パネル１０３が起立状態でスタンド１０５にて支持される構成であるが、本発明に係る表示装置及びテレビジョン受信機は、このような構成に限らず、例えば、スタンド１０５を備えずに壁等に取り付け可能に構成されてもよい。
【００１７】
筐体１０１は、表示パネル１０３の周縁を正面側（表示画面側）から囲う枠状のフロントキャビネット１０１ａと、表示パネル１０３の背面側を覆う深皿形状のバックキャビネット１０１ｂとで構成されている。筐体１０１内部において、表示パネル１０３の背面側には、光源、光源からの光を均一に拡散する拡散板、拡散板によって拡散された光源からの光を表示パネル１０３へ集光する光学シート等が収納されている。
【００１８】
フロントキャビネット１０１ａ及びバックキャビネット１０１ｂは、縦寸法及び横寸法が略同程度の矩形形状を有している。フロントキャビネット１０１ａ及びバックキャビネット１０１ｂは、縦辺及び横辺をそれぞれ合わせるように重ねられ、周縁部の複数箇所を止めネジにより固定して組み立てられる。フロントキャビネット１０１ａ及びバックキャビネット１０１ｂは、合成樹脂製であってもよく、アルミニウム等の軽金属製であってもよい。
【００１９】
筐体１０１の内側下部には、２つのスピーカ１が取り付けられており、テレビジョン受信機１００は、チューナ１０４にて受信した放送信号に基づいてスピーカ１にて音声を出力する。図２に示すように、それぞれのスピーカ１は、細長い直方体形状に構成されており、フロントキャビネット１０１ａの下辺部分の左側及び右側に、下辺部分に沿ってそれぞれ取り付けられている。フロントキャビネット１０１ａにおいて、スピーカ１が配置される２箇所には、スピーカ１からの音を放出する放音孔３０（図５参照）がそれぞれ形成されており、それぞれの放音孔３０の形成位置の前面は、矩形板状のメッシュシート１０２により覆ってある（図１，図２参照）。なお、メッシュシート１０２は、フロントキャビネット１０１ａのデザイン性を考慮し、フロントキャビネット１０１ａの下辺部分において一端から他端までの領域を覆うように取り付けられてもよい。
【００２０】
図３はスピーカ１の斜視図、図４はスピーカ１の上面図である。図３Ａには、フロントキャビネット１０１ａに取り付けられる側から見た状態を、図３Ｂには、その反対側、即ち、バックキャビネット１０１ｂに対向する側から見た状態を、図４には、図３Ｂに示すスピーカ１を上から見た状態をそれぞれ示している。なお、テレビジョン受信機１００に設けられる２つのスピーカ１は同一のスピーカであり、同様の方法にて筐体１０１に取り付けられる。
スピーカ１は、矩形筒状の導音筒１０と、導音筒１０の一方の開口部に取り付けられたマグネット部１１（発音部）とを備える。マグネット部１１は、振動板としてのコーン１１ｂと、コーン１１ｂを駆動する磁石１１ａとを有し、コーン１１ｂは、導音筒１０の前記一方の開口部に面して配置してある。また導音筒１０の他方の開口部の周縁にはクッション部材１２が貼付されている。
【００２１】
スピーカ１は、後述する手順により、導音筒１０の開口部に設けられたクッション部材１２を放音孔３０の周縁に密着させてフロントキャビネット１０１ａに取り付けられる。コーン１１ｂによって発生された音は、導音筒１０に導かれて放音孔３０に達し、放音孔３０を経て放出される。
【００２２】
導音筒１０の長手方向の両端面にはそれぞれ、固定部材１３が設けてある。固定部材１３はそれぞれ、導音筒１０の端面からマグネット部１１側に適長延設され、略直角に屈曲されて外向き（導音筒１０の長手方向外向き）に伸びるＬ字形状の連結部１３ａと、それぞれの連結部１３ａの先端に設けられた固定部１３ｂとを有する。固定部１３ｂはそれぞれ、導音筒１０の長手方向に直交する方向（図３においては手前側から奥側への方向）に貫通する貫通孔を有する。固定部１３ｂは、図４に示すように、連結部１３ａの基部よりもマグネット部１１側に設けてある。より具体的には、固定部１３ｂは、導音筒１０による導音方向（導音筒１０の軸方向）に直交する平面で、且つマグネット部１１（磁石１１ａ）の重心を含む平面の近傍に位置するように設けてある。
【００２３】
導音筒１０及び２つの固定部材１３（連結部１３ａ及び固定部１３ｂ）は一体成形されている。固定部１３ｂのそれぞれの貫通孔には筒状のゴムブッシュ（弾性部材）２が内嵌してある。図３及び図４には、固定部１３ｂにゴムブッシュ２が嵌着されている状態を示している。ゴムブッシュ２は、それぞれの固定部１３ｂの貫通孔から前後方向に延出しており、延出したゴムブッシュ２の端部はそれぞれ鍔状になっている。そのため、鍔状になった部分は、それぞれの固定部１３ｂの貫通孔の周縁部を覆っている。
【００２４】
マグネット部１１には、導音筒１０の適宜箇所に設けられたケーブル保持部（貫通孔）１４を通して、導音筒１０の内部（内側）に引き込まれたケーブル（導線）１４ａの一端が接続されている。ケーブル保持部１４は、固定部１３ｂの貫通孔と同方向に設けられた貫通孔を有する。ケーブル保持部１４を通して導音筒１０の外部（外側）に引き出されたケーブル１４ａの他端は、図３Ｂ及び図４に示すように、磁石１１ａ側（バックキャビネット１０１ｂ側）に引き出され、例えば筐体１０１内部のアンプに接続される。このように、バックキャビネット１０１ｂ側にケーブル１４ａを引き出すことにより、横方向（導音筒１０の長手方向）にケーブル１４ａを引き出す構成と比較して、アンプまでのケーブル１４ａの配置が簡易となる。
【００２５】
図５は、フロントキャビネット１０１ａの斜視図であり、背面側（バックキャビネット１０１ｂ側）から見た状態を示している。フロントキャビネット１０１ａに設けられた放音孔３０はそれぞれ、複数の小孔にて構成されており、複数の小孔は、フロントキャビネット１０１ａの下辺部分に長手方向に２列で配置されている。このように放音孔３０を格子状に構成することによりフロントキャビネット１０１ａの強度の低下を防止する。
また、フロントキャビネット１０１ａの下辺部分の背面側には、それぞれの放音孔３０の両側に、ネジ穴を有する円筒状のボス３１が突設されている。ボス３１の基部には、径方向外向きに延びるリブ３１ａが設けてあり、リブ３１ａを含む基部側の外径は突設端側の外径よりも大きく形成されている。
【００２６】
図６は、スピーカ１が取り付けられたフロントキャビネット１０１ａの一部を示す拡大図、図７は、スピーカ１が取り付けられたフロントキャビネット１０１ａの一部を示す上面図である。図６及び図７には、１つのスピーカ１がフロントキャビネット１０１ａに取り付けられている状態を示しているが、実際には２つのスピーカ１がフロントキャビネット１０１ａに取り付けられる。また、図６における上下方向は、図１におけるテレビジョン受信機１００の上下方向に一致する。
【００２７】
スピーカ１の取り付けは、まず、フロントキャビネット１０１ａの下辺において、１つのスピーカ１の導音筒１０を１つの放音孔３０に向けて位置合わせし、固定部材１３の両端の固定部１３ｂに嵌着されたゴムブッシュ２の貫通孔に、位置合わせした放音孔３０の両側のボス３１を嵌め込んで仮止めする。ゴムブッシュ２の内径は、ボス３１の突出端側の外径と同程度又は若干小さいので、ゴムブッシュ２は、ボス３１に密着しつつ嵌入される（圧入となる）。仮止め状態においてスピーカ１は、２つのボス３１を支えとして、上下方向及び左右方向（表示パネル１０３の表示画面に平行な方向）への移動ができないように拘束される。ゴムブッシュ２の嵌め込みは、その一端部（フロントキャビネット１０１ａに対向する側）がボス３１のリブ３１ａに当接する位置で止まる。なお、このとき、図７に示すように、スピーカ１のクッション部材１２がフロントキャビネット１０１ａに当接し、図６に示すように、ボス３１の先端（突出端面）は、ゴムブッシュ２の他端部（背面側）と略同一面となって露出する。同様の方法にてもう１つのスピーカ１をもう１つの放音孔３０の両側のボス３１に仮止めする。
【００２８】
次いで、図７中に２点鎖線で示すように、バックキャビネット１０１ｂをフロントキャビネット１０１ａの背面側に重ねる。バックキャビネット１０１ｂには、フロントキャビネット１０１ａに重ねた場合に、固定部１３ｂ（ゴムブッシュ２）と対向する位置に貫通孔（ネジ通し孔）１０１ｃが設けてある。重ねたバックキャビネット１０１ｂは、貫通孔１０１ｃに通したビス３をボス３１のネジ穴に締め付けてフロントキャビネット１０１ａに固定される。このように固定されたバックキャビネット１０１ｂは、ゴムブッシュ２の他端部（背面側）に密着し、ゴムブッシュ２は、ボス３１のリブ３１ａとバックキャビネット１０１ｂとの間に挟持されることとなる。このような状態においてスピーカ１は、前後方向（フロントキャビネット１０１ａ又はバックキャビネット１０１ｂに近付く方向）への移動ができないように拘束される。
【００２９】
スピーカ１は、他の部材と比較して大重量を有する磁石１１ａを背面側に備えているので、以上のように筐体１０１に取り付けられたスピーカ１には、背面側に倒れる力が作用する。しかし、本実施形態では、スピーカ１は、ゴムブッシュ２に圧入されたボス３１により上下方向及び左右方向に移動できないように支持され、リブ３１ａ及びバックキャビネット１０１ｂで挟持されて前後方向に移動できない状態となる。特に本実施形態では、固定部１３ｂが、導音筒１０よりも、導音筒１０による導音方向に直交してマグネット部１１（磁石１１ａ）の重心位置を含む平面に近い位置に設けられているので、スピーカ１は背面側により倒れにくい。
【００３０】
よって、スピーカ１は、磁石１１ａの重みによる背面側への倒れを生じることなく、最小限のビス止めで取付状態を強固に維持できる。従って、背面側に倒れたスピーカ１がバックキャビネット１０１ｂに接触した場合に発生するビビリ音を有効に防止できる。また、クッション部材１２とフロントキャビネット１０１ａとの密着状態が保たれ、スピーカ１による発生音が漏れ出すことなく放音孔３０を経て放出されるので、音質の低下を防止できる。更に、スピーカ１及び筐体１０１の接触部分にはゴムブッシュ２（緩衝部材）が介在しており、スピーカ１の振動が直接筐体１０１に伝わることもなく、ビビリ音が発生しない。
【００３１】
スピーカ１の取り付けは、前述した手順で容易に実施できる。ビス３は、スピーカ１の重さを支える必要がなく、小径のもので十分である。また、スピーカ１が背面側に倒れないので、筐体１０１の内面とスピーカ１との間に緩衝材を介装する作業、スピーカ１が自身の重みで背面側に傾くことを防止するための作業が不要となる。よって、スピーカ１の取り付け工程の手間を削減することができ、スピーカ１の取り付け作業の効率化が可能となる。
【００３２】
上述の実施形態では、導音筒１０において、フロントキャビネット１０１ａに当接される側の開口部の周縁にクッション部材１２が貼付されていた。この構成のほかに、例えば、導音筒１０において、フロントキャビネット１０１ａに当接される側の開口部を塞ぐように、開口部の全面に、スポンジ等の音を通すことができるクッション部材１２を貼付してもよい。
【００３３】
上述の実施形態では、本発明に係る表示装置及びテレビジョン受信機を、テレビジョン受信機１００に適用した例に基づいて説明したが、本発明に係る表示装置は、例えば、外部から取得した映像データに基づいて映像を表示する表示装置に適用できる。
【００３４】
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００３５】
１  スピーカ
２  ゴムブッシュ
１０  導音筒
１１  マグネット部（発音部）
１３  固定部材
１３ａ  連結部
１３ｂ  固定部
１４  ケーブル保持部
１４ａ  ケーブル
３１  ボス
１００  テレビジョン受信機（表示装置）
１０１  筐体
１０３  表示パネル
１０４  チューナ（受信部）
【図１】
2014154922.tif 000003
【図２】
2014154922.tif 000004
【図３】
2014154922.tif 000005
【図４】
2014154922.tif 000006
【図５】
2014154922.tif 000007
【図６】
2014154922.tif 000008
【図７】
2014154922.tif 000009